(57)【要約】      （修正有）【課題】柔軟性のある素材から形成され、横置き縦置きが自在であって折り畳み可能な収納ケースを提供する。【解決手段】収納ケース１０は、上方を開口部とした箱状の本体部２０と、本体部２０の一方の長辺に連結し本体部２０の開口部を閉塞する蓋面部４０と、本体部２０内に取り外し自在に配置する仕切部５０とから構成されている。底面用面ファスナを底面部２２、後側面部２４の底面用面ファスナに接着することにより、仕切部５０は本体部２０内に固定される。収納ケース１０は、蓋面部４０を閉止することにより、蓋面部４０の蓋面用面ファスナ４１ａは仕切部５０の上縁部５２の蓋面用面ファスナ４１ｂに接着して組立てることにより、本体部２０内に衣類等を収容することができる。【選択図】図４
0003197711.tif 000002
【実用新案登録請求の範囲】
【請求項１】
上方を開口部とした箱状の本体部と、該本体部の開口部の１つの辺部に連結し前記開口部を開閉自在に覆う蓋面部と、前記本体部内に取り外し自在に配置する仕切部とから構成し、これらの各部は柔軟性を有する素材から成ると共に横置き又は縦置きを自在に設置することが可能な収納ケースであって、
前記本体部の底面部及び前記蓋面部は、それぞれ２つの板材を挟み込むことにより二つ折りを可能とする折り目を有し、前記本体部の底面部及び前記蓋面部の内面には前記折り目に重なるようにして底面用面ファスナ、蓋面用面ファスナをそれぞれ取り付け、
前記底面用面ファスナ、蓋面用面ファスナにそれぞれ対応する面ファスナを設け前記本体部内を仕切る仕切部を、前記面ファスナ同士をそれぞれ接着して前記底面部と外面部間に配置することを特徴とする収納ケース。
【請求項２】
前記本体部の一部の側面には透明シートから成る窓部を窓部開閉ファスナにより開閉自在に取り付けたことを特徴とする請求項１に記載の収納ケース。
【請求項３】
前記蓋面部の短手方向又は長手方向に平行する両辺部に連結バンドを取り付け、該連結バンドに一方側の連結用面ファスナを設け、前記短側面部又は長側面部の下部に他方側の連結用面ファスナを設けたことを特徴とする請求項１又は２に記載の収納ケース。
【考案の詳細な説明】
【技術分野】
【０００１】
本考案は、衣類等を収納するための収納ケースに関するものである。
【背景技術】
【０００２】
特許文献１には、上面が開口可能であって、不織布の表面に塩化ビニルをラミネートした柔軟性を有するシート材を縫製して作成した収納袋が開示されている。この収納袋は袋本体と上面の蓋とをファスナで開閉可能であり、未使用時には折り畳むことが可能である。
【０００３】
また、硬質の合成樹脂製の箱体から成り衣類等を収納する収納ケースは、様々な形状のものが広く使用されている。
【先行技術文献】
【特許文献】
【０００４】
【特許文献１】実開昭５２−１６１１１５号公報
【考案の概要】
【考案が解決しようとする課題】
【０００５】
クローゼット等内に配置する収納ケースは、配置する空間によって任意に横置き、縦置きが必要な場合がある。しかし、特許文献１に開示された収納袋は、柔軟性を有するシート材から成るため、横置きは可能であっても、縦置きにすると自らの重さにより押し潰され、自立することができないという問題がある。
【０００６】
また、硬質の合成樹脂等から成形される収納ケースであっても、縦置きが難しく、不使用時に折り畳むことが不可能であり、場所をとるという問題もある。
【０００７】
本考案の目的は、上述の問題点を解消し、柔軟性のある素材から形成され、横置き縦置きが自在であって、折り畳み可能な収納ケースを提供することにある。
【課題を解決するための手段】
【０００８】
上記目的を達成するための本考案に係る収納ケースは、上方を開口部とした箱状の本体部と、該本体部の開口部の１つの辺部に連結し前記開口部を開閉自在に覆う蓋面部と、前記本体部内に取り外し自在に配置する仕切部とから構成し、これらの各部は柔軟性を有する素材から成ると共に横置き又は縦置きを自在に設置することが可能な収納ケースであって、前記本体部の底面部及び前記蓋面部は、それぞれ２つの板材を挟み込むことにより二つ折りを可能とする折り目を有し、前記本体部の底面部及び前記蓋面部の内面には前記折り目に重なるようにして底面用面ファスナ、蓋面用面ファスナをそれぞれ取り付け、前記底面用面ファスナ、蓋面用面ファスナにそれぞれ対応する面ファスナを設け前記本体部内を仕切る仕切部を、前記面ファスナ同士をそれぞれ接着して前記底面部と外面部間に配置することを特徴とする。
【考案の効果】
【０００９】
本考案に係る収納ケースによれば、内部に仕切部を面ファスナによって配置することにより、箱体としての強度を増加し縦置きが可能となり、横置き又は縦置きを自在に設置することが可能である。
【００１０】
また、不使用時は平面状にし、更に二つ折りにすることが可能であり、コンパクトに収容することができる。
【図面の簡単な説明】
【００１１】
【図１】実施例の収納ケースを組み立てた状態の斜視図である。
【図２】仕切部を取り外し蓋面部を開いた状態の斜視図である。
【図３】仕切部の斜視図である。
【図４】仕切部を取り付けた状態の斜視図である。
【図５】縦置きにし窓部を開いた状態の斜視図である。
【図６】平面状に折り畳んだ状態の斜視図である。
【図７】平面状に折り畳み更に二つ折りにした状態の斜視図である。
【考案を実施するための形態】
【００１２】
本考案を図示の実施例に基づいて詳細に説明する。
図１は収納ケースを組み立てた状態の斜視図である。収納ケース１０は、上方を開口部とした箱状の本体部２０と、本体部２０の一方の長辺に連結し本体部２０の開口部を閉塞する蓋面部４０と、本体部２０内に取り外し自在に配置する仕切部５０とから構成されている。
【００１３】
収納ケース１０の大きさは、例えば幅６０ｃｍ、奥行４０ｃｍ、高さ３０ｃｍ程度であるが、収納する衣類等の量に応じて、適宜のサイズとすることができる。
【００１４】
本体部２０、蓋面部４０及び仕切部５０は柔軟性を有する丈夫な布地材等から成り、これらの本体部２０、蓋面部４０、仕切部５０の辺部等はほつれないように、また補強のために布テープ等により縁取りされている。また、本体部２０の後述する前側面部の窓部は、透明状であって柔軟性を有する素材、例えばビニルシート等から成っている。
【００１５】
図２は仕切部５０を取り外し、本体部２０を立ち上げて蓋面部４０を開いた状態の斜視図である。本体部２０は上方を開口部２１とした箱状であり、底面部２２、前側面部２３、後側面部２４、両側の短側面部２５、２６から構成されている。
【００１６】
このうち、底面部２２では２枚の図示しない同形の厚紙等の板体が長手方向に並んで上下の布地材により挟まれており、この底面部２２は長手方向の中央の厚紙同士の境目である一点鎖線で示す折り目Ｌにおいて二つ折り可能とされている。更に、底面部２２の内面にはこの折り目Ｌと重なるように、帯状の底面用面ファスナ２７ａが取り付けられており、底面用面ファスナ２７ａは後側面部２４の内面の一部にまで延長されている。
【００１７】
また、前側面部２３には透明で柔軟性を有する素材、例えばビニルシート等の透明シート材から成る窓部２８が設けられ、この窓部２８は上辺及び側辺において、前側面部２３に対して窓部開閉ファスナ２９により開閉自在とされている。更に、両短側面部２５、２６には、それぞれ略中央に把手部３０が取り付けられ、下部に連結用面ファスナ３１ａが設けられている。そして、両短側面部２５、２６の上辺、前側面部２３の上辺に沿って、蓋面部４０を閉止する蓋面部開閉ファスナ３２ａの一方が取り付けられている。
【００１８】
後側面部２４の上辺には、本体部２０の開口部２１を覆う蓋面部４０が折曲自在に連結されている。この蓋面部４０の周辺には、本体部２０側の蓋面部開閉ファスナ３２ａと対応して係合する蓋面部開閉ファスナ３２ｂが取り付けられている。蓋面部４０には、底面部２２と同様に２枚の厚紙等が上下の布地材により挟まれて配置され、蓋面部４０は厚紙同士の境目である一点鎖線で示す折り目Ｌ’に沿って二つ折り可能とされている。
【００１９】
また、蓋面部４０の内側には折り目Ｌ’に重なるように帯状の蓋面用面ファスナ４１ａが取り付けられ、この蓋面用面ファスナ４１ａは後側面部２４の内面の一部にまで延長されている。更に、蓋面部４０の短手方向に平行する両辺部の中央には布地材から成る連結バンド４２、４３が取り付けられ、これらの連結バンド４２、４３の先端部の裏面には、両短側面部２５、２６に設けた連結用面ファスナ３１ａと接着する連結用面ファスナ３１ｂが取り付けられている。なお、連結バンド４２、４３は蓋面部４０の長手方向に平行する両辺部に設けるようにし、連結用面ファスナ３１ｂは長側面部である前側面部２３、後側面部２４に設けるようにしてもよい。
【００２０】
図３は仕切部５０の斜視図であり、下縁部５１、上縁部５２は直角方向に折曲された状態において、外側に底面用面ファスナ２７ｂ、蓋面用面ファスナ４１ｂ（２７ｂは図示せず）が取り付けられている。下縁部５１、上縁部５２はそれぞれ舌片部５３、５４が奥行方向に延在されており、これらの舌片部５３、５４にも底面用面ファスナ２７ｂ、４１ｂがそれぞれ延在されて設けられている。そして、それぞれ底面部２２、後側面部２４の底面用面ファスナ２７ａに、蓋面部４０、後側面部２４の蓋面用面ファスナ４１ａが対応して接着可能とされている。
【００２１】
図４は本体部２０内に仕切部５０を取り付けた状態の斜視図である。底面用面ファスナ２７ｂを底面部２２、後側面部２４の底面用面ファスナ２７ａに接着することにより、仕切部５０は本体部２０内に固定される。
【００２２】
このように構成した収納ケース１０は、蓋面部４０を閉止することにより、蓋面部４０の蓋面用面ファスナ４１ａは仕切部５０の上縁部５２の蓋面用面ファスナ４１ｂに対応して接着し、図１に示すように組立てることにより、本体部２０内に衣類等を収容することができる。蓋面部４０を蓋面部開閉ファスナ３２ａ、３２ｂにより開閉し、或いは窓部２８を同様に窓部開閉ファスナ２９により開閉することにより、収納ケース１０内に対し収納物の出し入れをすることができる。
【００２３】
また、後述する収納ケース１０を縦置きにして利用する場合には、仕切部５０を本体部２０内に取り付けて使用する必要があるが、図２に示すような横置きの場合は仕切部５０の取り付けは必ずしも必要ではない。
【００２４】
横置きの状態で複数の収納ケース１０を積み重ねる場合には、上方に積み上げた２段目の収納ケース１０の連結用面ファスナ３１ａに下方の１段目の収納ケース１０の連結用面ファスナ３１ｂを接着させて固定する。また、収納物を収容した収納ケース１０の持ち運びは、両側の把手部３０を持って運搬することができる。
【００２５】
なお、図１においては、本体部２０の周側面は柔軟性を有する布地材等から成っているので上下方向に崩れ易く、本体部２０内に収納物を或る程度入れなければ、図１〜図３の形状を維持することはできない。
【００２６】
また、蓋面部４０及び底面部２２には、厚紙等が挿入されて剛性を有し、また底面用面ファスナ２７ａ、２７ｂ、蓋面用面ファスナ４１ａ、４１ｂが折り目Ｌ、Ｌ’に重なって設けられ、折り目Ｌ、Ｌ’を補強しているので、図５に示すように立ち上げても、形状が崩れることがない。この場合には、仕切部５０は棚として用いられ、窓部２８を開閉して収納物を出し入れする。
【００２７】
図６は仕切部５０を取り外し、前側面部２３、後側面部２４、短側面部２５、２６を内側に押し込むようにして、蓋面部４０を底面部２２に向けて押して折り畳んだ状態を示している。そして、蓋面部４０に設けた連結バンド４２、４３の連結用面ファスナ３１ｂを短側面部２５、２６の連結用面ファスナ３１ａに対応して接着することにより、この折り畳み状態が保持される。
【００２８】
図７は図６に示す折り畳み状態において、仕切部５０を内部に挟み込んで、更に二つに折り畳んだ状態を示している。このようにして、収納ケース１０は不使用時には小さく折り畳むことが可能となる。
【符号の説明】
【００２９】
１０  収納ケース
２０  本体部
２１  開口部
２２  底面部
２３  前側面部
２４  後側面部
２５、２６  短側面部
２７ａ、２７ｂ  底面用面ファスナ
２８  窓部
２９  窓部開閉ファスナ
３０  把手部
３２ａ、３２ｂ  蓋面部開閉ファスナ
４０  蓋面部
４１a、４１ｂ  蓋面用面ファスナ
４２、４３  連結バンド
５０  仕切部
【図１】
0003197711.tif 000003
【図２】
0003197711.tif 000004
【図３】
0003197711.tif 000005
【図４】
0003197711.tif 000006
【図５】
0003197711.tif 000007
【図６】
0003197711.tif 000008
【図７】
0003197711.tif 000009
【手続補正書】
【提出日】平成27年3月23日(2015.3.23)
【手続補正１】
【補正対象書類名】実用新案登録請求の範囲
【補正対象項目名】全文
【補正方法】変更
【補正の内容】
【実用新案登録請求の範囲】
【請求項１】
上方を開口部とした箱状の本体部と、該本体部の開口部の１つの辺部に連結し前記開口部を開閉自在に覆う蓋面部と、前記本体部内に取り外し自在に配置する仕切部とから構成し、これらの各部は柔軟性を有する素材から成ると共に横置き又は縦置きを自在に設置することが可能な収納ケースであって、
前記本体部の底面部及び前記蓋面部は、それぞれ２つの板材を挟み込むことにより二つ折りを可能とする折り目を有し、前記本体部の底面部及び前記蓋面部の内面には前記折り目に重なるようにして底面用面ファスナ、蓋面用面ファスナをそれぞれ取り付け、
前記底面用面ファスナ、蓋面用面ファスナにそれぞれ対応する面ファスナを下縁部と上縁部に設け前記本体部内を仕切る仕切部を、前記底面用面ファスナと前記下縁部の面ファスナとを接着し、前記蓋面用面ファスナと前記上縁部の面ファスナとを接着して前記底面部と蓋面部間に配置することを特徴とする収納ケース。
【請求項２】
前記本体部の一部の側面には透明シートから成る窓部を窓部開閉ファスナにより開閉自在に取り付けたことを特徴とする請求項１に記載の収納ケース。
【請求項３】
前記蓋面部の短手方向又は長手方向に平行する両辺部に連結バンドを取り付け、該連結バンドに一方側の連結用面ファスナを設け、前記本体部の短側面部又は長側面部の下部に他方側の連結用面ファスナを設けたことを特徴とする請求項１又は２に記載の収納ケース。
【手続補正２】
【補正対象書類名】明細書
【補正対象項目名】０００８
【補正方法】変更
【補正の内容】
【０００８】
上記目的を達成するための本考案に係る収納ケースは、上方を開口部とした箱状の本体部と、該本体部の開口部の１つの辺部に連結し前記開口部を開閉自在に覆う蓋面部と、前記本体部内に取り外し自在に配置する仕切部とから構成し、これらの各部は柔軟性を有する素材から成ると共に横置き又は縦置きを自在に設置することが可能な収納ケースであって、前記本体部の底面部及び前記蓋面部は、それぞれ２つの板材を挟み込むことにより二つ折りを可能とする折り目を有し、前記本体部の底面部及び前記蓋面部の内面には前記折り目に重なるようにして底面用面ファスナ、蓋面用面ファスナをそれぞれ取り付け、前記底面用面ファスナ、蓋面用面ファスナにそれぞれ対応する面ファスナを下縁部と上縁部に設け前記本体部内を仕切る仕切部を、前記底面用面ファスナと前記下縁部の面ファスナとを接着し、前記蓋面用面ファスナと前記上縁部の面ファスナとを接着して前記底面部と蓋面部間に配置することを特徴とする。